(57)【特許請求の範囲】
【請求項１】
二次元画像を表示する表示部を備える通信端末装置において、
一対のマイクロレンズアレイからなり、前記表示部に対向配置されたマイクロレンズユニットと、
スクリーンと、
前記スクリーンを支持し、当該スクリーンが前記マイクロレンズユニットの前記表示部とは反対側の面に対向配置する第１の位置と、当該スクリーンが前記表示部に対向しない第２の位置との間を移動可能なパネル部と、を備えることを特徴とする通信端末装置。
【請求項２】
前記パネル部は、前記第２の位置にある時、前記通信端末装置に設けられた操作部の少なくとも一部を覆うパネル部であることを特徴とする請求項１記載の通信端末装置。
【請求項３】
二次元画像を表示する表示部を備える通信端末装置において、
一対のマイクロレンズアレイからなり、前記表示部に対向配置されたマイクロレンズユニットと、
前記マイクロレンズユニットと前記表示部とが前記マイクロレンズユニットの焦点距離離隔する第１の状態と前記マイクロレンズユニットと前記表示部とが密接する第２の状態とを取り得るよう、前記マイクロレンズユニットを前記表示部に対して相対的に移動させる駆動手段と、
前記通信端末装置に設けられた操作部の少なくとも一部を覆う第１の位置と前記操作部を覆わない第２の位置との間を移動可能なパネル部と、を備え、
前記駆動手段は前記パネル部の前記第１の位置から前記第２の位置への移動に伴い、前記マイクロレンズユニットを前記表示部に対して相対的に移動させ、前記マイクロレンズユニットと前記表示部を前記第１の状態から前記第２の状態にすることを特徴とする通信端末装置。
【請求項４】
二次元画像を表示する表示部を備える通信端末装置において、
一対のマイクロレンズアレイからなり、前記表示部に対向配置されたマイクロレンズユニットと、
前記マイクロレンズユニットと前記表示部とが前記マイクロレンズユニットの焦点距離離隔する第１の状態と前記マイクロレンズユニットと前記表示部とが密接する第２の状態とを取り得るよう、前記マイクロレンズユニットを前記表示部に対して相対的に移動させる駆動手段と、
前記第１の状態にある前記マイクロレンズユニットの前記表示部と反対側の面から、前記焦点距離より近い距離を持って対向配置されるスクリーンと、を備えることを特徴とする通信端末装置。
【請求項５】
二次元画像を表示する表示部を備える通信端末装置において、
一対のマイクロレンズアレイからなるマイクロレンズユニットと、
前記マイクロレンズユニットの前記表示部と反対側の面に対向配置されたスクリーンと、
前記マイクロレンズユニットが前記表示部から前記マイクロレンズユニットの焦点距離離隔し、且つ前記マイクロレンズユニットの結像面が前記スクリーンの上方に位置する第１の状態と、前記マイクロレンズユニットが前記表示部と前記スクリーンの中間位置に配置される第２の状態とを取り得るよう、前記マイクロレンズユニットを前記表示部に対して移動させる駆動手段と、を備えることを特徴とする通信端末装置。
【請求項６】
前記通信端末装置は、更に前記通信端末装置に設けられた操作部の少なくとも一部を覆う第１の位置と前記操作部を覆わない第２の位置との間を移動可能なパネル部を備え、
前記駆動手段は前記パネル部の前記第１の位置から前記第２の位置への移動に伴い、前記マイクロレンズユニットを前記表示部に近接移動させ、前記マイクロレンズユニットと前記表示部を前記第１の状態から前記第２の状態にすることを特徴とする請求項５記載の通信端末装置。
【発明の詳細な説明】
【０００１】
【発明の属する技術分野】
本発明は、通信端末装置、および汎用の通信端末装置に用いられるレンズアダプタに関する。
【０００２】
【従来の技術】
近年、通信端末装置、特に携帯電話の普及が目覚しく、固定用電話機の普及率を越すに至っている。特に最近の携帯電話は、直接相手に用件を伝えたり会話を楽しむと云う本来の目的以外に、メッセージを文字情報の形態で送信したり、インターネット上に開放されている情報（例えばゲームや放映中の映画、上演中のコンサート等）を表示することができる。更に、一部の携帯電話は着信時、その表示部にキャラクタ画像（例えばアニメやアイドルの画像等）を表示し、ユーザーに着信時の楽しみを与えることができる。
【０００３】
【発明が解決しようとする課題】
しかし、従来の携帯電話は、カラー液晶や有機ＥＬパネル等からなる表示部により二次元表示を行うものであり、その表示によりユーザーに驚きや感動を与えることが困難であった。本発明は、上記課題に鑑み成されたものであり、その目的は、表示部に表示された画像を擬似的に立体表示し、ユーザーに驚きや感動を与えることができる通信端末装置、および汎用の通信端末装置に用いられるレンズアダプタを提供することにある。
【０００４】
【課題を解決するための手段】
本発明の１つの観点では、二次元画像を表示する表示部を備える通信端末装置は、一対のマイクロレンズアレイからなり、前記表示部に対向配置されたマイクロレンズユニットと、スクリーンと、前記スクリーンを支持し、当該スクリーンが前記マイクロレンズユニットの前記表示部とは反対側の面に対向配置する第１の位置と、当該スクリーンが前記表示部に対向しない第２の位置との間を移動可能なパネル部と、を備えることを特徴とする。
上記の通信端末装置の一態様では、前記パネル部は、前記第２の位置にある時、前記通信端末装置に設けられた操作部の少なくとも一部を覆うパネル部である。
本発明の他の観点では、二次元画像を表示する表示部を備える通信端末装置は、一対のマイクロレンズアレイからなり、前記表示部に対向配置されたマイクロレンズユニットと、前記マイクロレンズユニットと前記表示部とが前記マイクロレンズユニットの焦点距離離隔する第１の状態と前記マイクロレンズユニットと前記表示部とが密接する第２の状態とを取り得るよう、前記マイクロレンズユニットを前記表示部に対して相対的に移動させる駆動手段と、前記通信端末装置に設けられた操作部の少なくとも一部を覆う第１の位置と前記操作部を覆わない第２の位置との間を移動可能なパネル部と、を備え、前記駆動手段は前記パネル部の前記第１の位置から前記第２の位置への移動に伴い、前記マイクロレンズユニットを前記表示部に対して相対的に移動させ、前記マイクロレンズユニットと前記表示部を前記第１の状態から前記第２の状態にすることを特徴とする。
本発明の他の観点では、二次元画像を表示する表示部を備える通信端末装置は、一対のマイクロレンズアレイからなり、前記表示部に対向配置されたマイクロレンズユニットと、前記マイクロレンズユニットと前記表示部とが前記マイクロレンズユニットの焦点距離離隔する第１の状態と前記マイクロレンズユニットと前記表示部とが密接する第２の状態とを取り得るよう、前記マイクロレンズユニットを前記表示部に対して相対的に移動させる駆動手段と、前記第１の状態にある前記マイクロレンズユニットの前記表示部と反対側の面から、前記焦点距離より近い距離を持って対向配置されるスクリーンと、を備えることを特徴とする。
本発明の他の観点では、二次元画像を表示する表示部を備える通信端末装置は、一対のマイクロレンズアレイからなるマイクロレンズユニットと、前記マイクロレンズユニットの前記表示部と反対側の面に対向配置されたスクリーンと、前記マイクロレンズユニットが前記表示部から前記マイクロレンズユニットの焦点距離離隔し、且つ前記マイクロレンズユニットの結像面が前記スクリーンの上方に位置する第１の状態と、前記マイクロレンズユニットが前記表示部と前記スクリーンの中間位置に配置される第２の状態とを取り得るよう、前記マイクロレンズユニットを前記表示部に対して移動させる駆動手段と、を備えることを特徴とする。
上記の通信端末装置の一態様は、更に前記通信端末装置に設けられた操作部の少なくとも一部を覆う第１の位置と前記操作部を覆わない第２の位置との間を移動可能なパネル部を備え、前記駆動手段は前記パネル部の前記第１の位置から前記第２の位置への移動に伴い、前記マイクロレンズユニットを前記表示部に近接移動させ、前記マイクロレンズユニットと前記表示部を前記第１の状態から前記第２の状態にする。
【００１６】
【発明の実施の形態】
以下、本発明の実施形態を図面に基づいて説明する。
本発明の実施形態は、携帯電話の表示部に二次元表示されたキャラクタ画像（例えばゲームの動画やアニメやアイドルの静止画等）を、擬似的に立体表示させるものである。
【００１７】
本発明の第１の実施形態による携帯電話１００は、図１に示されるブロック図により回路構成されている。以下、図１を参照しながら、携帯電話１００の回路構成を説明する。
携帯電話１００は、アンテナ１、中継局と電波の受信または送信を行う送受信機２、復調された信号を増幅する低周波増幅部３、送話用のマイク４、受話用のスピーカ５、全体の動作を司るコントローラ６、電話番号やキャラクタ等を記録するＲＡＭ７、動作プログラム等が記録されているＲＯＭ８、電話の送受信操作やキャラクタ等の登録に用いる操作釦９、表示部１１、表示部１１を駆動する駆動回路１０、表示部１１に表示されたキャラクタ画像等を擬似的に立体表示にするためのマイクロレンズユニット２０により構成されている。
【００１８】
次に、上述したマイクロレンズユニット２０の構成を図２乃至図４を用いて説明する。
マイクロレンズユニット２０は、同一構成からなる２枚のマイクロレンズアレイ２１により構成されている。図２および図３に示されるように、マイクロレンズアレイ２１は透光性の優れたガラスまたはアクリル板からなる透明基板２２の両面に、同一の曲率半径を有する複数のマイクロ凸レンズ２３がマトリックス状に互いに隣接配置されており、両面の各マイクロ凸レンズ２３の光軸２４は同軸上にある。このマイクロレンズアレイ２１が２枚、各レンズアレイ２１のマイクロ凸レンズ２３の光軸２４が同軸上になるよう隣接配置され、マイクロレンズユニット２０が構成されている。
【００１９】
上述のマイクロレンズユニット２０によれば、表示部１１の前面に対して平行に略凸レンズ２３の焦点距離（Ｌ）離れた位置に配置されると、表示部１１と反対側（図示右側）の同焦点距離（Ｌ）離れる結像面２５に表示部１１上に表示された画像を投影する。この投影された画像は二次元画像であるが、その画像が奥行き感を持つもの（立体的）である場合、空間上に浮いて表示されていることから、ユーザーからはあたかも立体画像が映し出されているように見える。以下、結像面２５に表示される二次元画像を擬似立体画像と記す。
【００２０】
なお、表示部１１に表示された二次元画像は、一方のマイクロレンズアレイ２１を通過する際に一旦逆さに反転されるが、再び他方のマイクロレンズアレイ２１を通過することで再び反転される。
【００２１】
このようにマイクロレンズユニット２０は、表示部１１の前面に略焦点距離を隔てて対向配置されると、表示部１１に表示された二次元画像を結像面２５上に擬似立体画像として表示する。しかし、図４に示されるように表示部１１と密接して配置された場合、マイクロレンズユニット２０は、表示部１１の二次元画像をそのまま透過する。
【００２２】
次に、本発明の第１実施形態である折り畳み型の携帯電話１００の構造について図５乃至図７を用いて説明する。尚、図５は携帯電話１００の使用状態の斜視図、図６は同携帯電話１００の待機状態の斜視図、図７は図６における同携帯電話１００のＡ−Ａ線断面図である。
【００２３】
携帯電話１００は、本体部３０とパネル部３１がヒンジ部３２により回動自在に結合された折り畳み構造を有する。本体部３０には、アンテナ１、表示部１１、受話用のスピーカ５、および機能キーを含む複数の操作釦３３が配置されている。表示部１１は、例えばカラー液晶パネルや有機ＥＬパネル等の平面表示器で構成され、その表示面が本体部３０の内面（パネル部３１と対向する面）と同一平面になるよう本体部３０に設けられている。
【００２４】
一方、パネル部３１には、その内面（本体部３０と対向する面）にテンキー等の操作釦９と送話用のマイク４が配置されており、更にその開口窓３４にはマイクロレンズユニット２０が嵌め込まれている。
【００２５】
このマイクロレンズユニット２０は、図７に示されるようにパネル部３１が操作釦９および３３を覆う折り畳まれた位置（第１の位置）にある時、表示部１１から焦点距離（Ｌ）離間する位置に対向配置される。図２を用いて説明したようにマイクロレンズユニット２０は、表示部１１に対して焦点距離（Ｌ）離れた位置に配置されると、表示部とは反対側の面から焦点距離（Ｌ）離れた位置に結像面２５を形成する。従って、携帯電話１００は、この折り畳まれた状態、つまり待機時、表示部１１に表示されるキャラクタ等の二次元画像をマイクロレンズユニット２０により形成される結像面２５に擬似立体画像として表示することが可能となる。
【００２６】
一方、図５に示されるようにパネル部３１が開かれた位置（第２の位置）にある時、即ち電話番号の登録や通話が行われる時、マイクロレンズユニット２０は表示部１１を覆わない位置に持ち来される。従って、携帯電話１００は表示部１１をユーザーに露呈し、ユーザーは表示部１１に表示された情報を直接読み取ることができる。
【００２７】
次に、携帯電話１００の電話番号の登録動作を図１および図８を用いて説明する。尚、図８は電話番号の登録動作フロー図を示し、予めＲＯＭ８に電話番号の登録動作プログラムとして記録されている。
【００２８】
携帯電話１００は、予め複数の立体的なキャラクタ（静止画やアニメーション等の画像情報）をＲＡＭ７に記録している。ユーザーによりパネル部３１が開かれ、本体に設けられた「電話帳登録」の釦３３が操作されると、携帯電話１００のコントローラ６は、図８に示す登録動作プログラムを自動的に実行する。コントローラ６は、先ずステップＳ１において電話番号の設定制御を行う。詳細には、先ずコントローラ６はＲＯＭ８に記録されている「なまえ」の文字情報を呼出し、表示部１１に「なまえ？」を表示する。ユーザーがテンキー９等を用い、ひらがなで相手先の名前を入力し、「エンター釦＃」を押下すると、コントローラ６は表示部１１に「ばんごう？」を表示する。ユーザーが市外局番から相手先の電話番号を入力し、「エンター釦＃」を押下すると、コントローラ６はステップＳ２に進み、キャラクタの選択制御に行う。
【００２９】
ステップＳ２において、コントローラ６は、表示部１１に「きゃらくた？」および複数のキャラクタ名を表示する。ユーザーが所望のキャラクタを選択し、「エンター釦＃」を押下すると、コントローラ６はステップＳ３に進み、先に入力された「なまえ」、「電話番号」および選択された「キャラクタ」をリンクさせてＲＡＭ７に登録する。続いてコントローラ６はステップＳ４において、ユーザーが電話帳登録設定を終了させる操作を行ったか否かを監視する。終了させていないと判断した時（ＮＯ）、コントローラ６はステップＳ１に戻り、上述した動作を繰り返す。一方、ユーザーが電話帳登録設定を終了させる操作を行った場合（ステップＳ４；ＹＥＳ）、コントローラ６は上述した電話番号の登録動作プログラムを終了する。
【００３０】
次に、着信時における携帯電話１００のキャラクタ表示動作を、図１および図９に示すキャラクタ表示動作フロー図を用いて説明する。尚、図９はキャラクタ表示動作フロー図であり、予めＲＯＭ８にキャラクタ表示動作プログラムとして記録されている。
【００３１】
携帯電話１００は、アンテナ１により捕捉した電波を送受信部２で受信し、該電波を増幅して復調する。復調された信号の内、音声信号は低周波増幅部３で増幅されてスピーカ５から出力される。また、復調された信号の内、相手先の電話番号やメッセージ等の文字情報は、コントローラ６に供給される。また、送受信部２は、電波を受信した時に直流電圧を出力する信号検出回路（図示しない）を備える。コントローラ６は、係る信号検出回路の出力信号を用いて表示部１１に信号強度を表示させたり、受信状態にあるか否かの判断を行う。
【００３２】
待機状態において、コントローラ６は図９に示されるフローチャートに従い動作制御を行う。先ず、コントローラ６はステップＳ１０により着信状態を検出する。着信を検出すると（ＹＥＳ）、コントローラ６はステップＳ１１に移行し、復調された信号の中から発信電話番号やメッセージ等の文字情報を抽出してＲＡＭ７に記録した後、ステップＳ１２に移行する。ステップＳ１２においてコントローラ６は、抽出した発信電話番号がＲＡＭ７に予め登録（記録）されている電話番号と一致するか否かを判断する。登録されていない電話番号の場合（ＮＯ）、コントローラ６はステップＳ１４により、図示しない発音体から着信を示す着信メロディーを発生させた後、上記キャラクタ表示動作プログラムを終了する。
【００３３】
一方、抽出した発信電話番号が登録済みの電話番号であると判断した場合（ステップＳ１２；ＹＥＳ）、コントローラ６はステップＳ１３に移行する。コントローラ６は、抽出した発信電話番号とリンクしたキャラクタ画像のデータをＲＡＭ７から読み出し、駆動回路１０を介して表示部１１にキャラクタ画像を表示させ、その後、ステップＳ１４により着信を示す着信メロディーを発生させて、キャラクタ表示動作プログラムを終了する。
【００３４】
上述したように、本携帯電話１００によれば、パネル部３１が折り畳まれた第２の位置（待機状態）にある時（図６）、マイクロレンズユニット２０は表示部１１の前面に対向した位置に置かれる。従って、携帯電話１００は、着信に伴い表示部１１にキャラクタ画像を表示すると、その画像をマイクロレンズユニット２０によって擬似立体画像として表示し、ユーザーに着信時の楽しみを与えることができる。
【００３５】
一方、電話番号のパネル部３１が開かれた第１の位置（使用状態）にある時（図５）、本携帯電話１００はパネル部３１が開かれることによりマイクロレンズユニット２０が表示部１１を覆わない位置に持ち来される。従って、携帯電話１００は表示部１１を露呈し、ユーザーに見やすい通常の二次元画像を提供する。これは、使用状態において、携帯電話１００の表示部１１には電話番号等、擬似立体表示する必要のないものが表示され、ユーザーの目の疲れを防止するためである。
【００３６】
なお、上述した携帯電話１００によれば、着信時に伴うキャラクタ画像を擬似立体画像として表示させたが、パネル部３１の外側の面に設けられた操作釦３１ａの操作により表示部１１にゲーム画面を表示させ、パネル部３１が折り畳まれた状態においてユーザーが擬似立体画像を見てゲームを楽しむことができるように構成しても良い。
【００３７】
以下、本発明の他の実施形態を説明する。なお、各電話機の回路構成は上述した第１実施形態の電話機１１０と同一であるので、その説明を省略する。先ず、本発明の第２実施形態である折り畳み型の携帯電話１１０の構造を図１０および図１１を用いて説明する。尚、図１０は携帯電話１１０の使用時の斜視図であり、図１１は同携帯電話１１０の待機時の斜視図である。
【００３８】
携帯電話１１０は図１０に示されるように、本体部４０、第１のパネル部４１および第２のパネル部４２から構成されている。本体部４０には、アンテナ１、表示部１１、スピーカ５および複数の機能釦４４等が配置されている。第１のパネル部４１はヒンジ部３２により本体部４０の下端に開閉自在に結合され、本体４０に対向する内面にはテンキー等の操作釦９と送話用のマイク４が配置されている。一方、第２のパネル部４２は図示しない連結部により本体部４０の上端に開閉自在に結合され、その開口窓４２ａにはマイクロレンズユニット２０が嵌め込まれている。従って、第２実施形態における携帯電話１１０が第１実施形態における携帯電話１００と異なる点は、マイクロレンズユニット２０のみを第２のパネル部４２により本体に開閉自在に構成した点にあり、その他は同一に構成されている。
【００３９】
よって、本携帯電話１１０によれば、パネル部４１および４２が折り畳まれた第２の位置（待機状態）にある時（図１１）、マイクロレンズユニット２０は表示部１１の前面に対向した位置に置かれる。従って、携帯電話１１０は、着信に伴うキャラクタ画像を擬似立体画像として表示し、ユーザーに着信時の楽しみを与えることができる。更に本携帯電話１１０によれば、レンズ部４２だけを単独で開閉することも可能であるので、ユーザーは必要に応じて第２のパネル部４２を開き、表示部１１に表示された通常の二次元表示を見ることもできる。
【００４０】
一方、パネル部４１および４２が開かれた第１の位置（使用状態）にある時（図１０）、そのマイクロレンズユニット２０は表示部１１を覆わない位置に置かれる。従って、携帯電話１１０は表示部１１を露呈し、ユーザーに見やすい通常の二次元画像を提供する。
【００４１】
次に、本発明の第３実施形態であるスライド型の携帯電話１２０の構造を図１２および図１３を用いて説明する。尚、図１２は同携帯電話１２０の使用時の斜視図であり、図１３は同携帯電話１２０の待機時の斜視図である。
【００４２】
携帯電話１２０は、図１２に示されるように本体部４５とパネル部４６により構成されており、パネル部４６は摺動溝４７により本体部４５に対して図面矢印方向に摺動自在に取付けられている。本体部４５には、アンテナ１、表示部１１、スピーカ５、操作釦９およびマイク４等が配置され、パネル部４６には、マイクロレンズユニット２０と複数の機能釦４８が配置されている。第３実施形態における携帯電話１２０が第１および第２実施形態における携帯電話と異なる点は、パネル部４６が本体部４５に対して摺動するように構成されている点にあり、その他は同一に構成されている。
【００４３】
よって、この携帯電話１２０によれば、スライドパネル４６が閉じられた第２の位置（待機状態）にある時（図１３）、マイクロレンズユニット２０は表示部１１の前面に対向した位置に置かれる。従って、携帯電話１２０は、着信に伴うキャラクタ画像を擬似立体画像として表示し、ユーザーに着信時の楽しみを与えることができる。
【００４４】
一方、スライドパネルが引き下げられた第１の位置（使用状態）にある時（図１０）、マイクロレンズユニット２０は表示部１１を覆わない位置に置かれる。従って、携帯電話１２０は表示部１１を露呈し、ユーザーに見やすい通常の二次元画像を提供する。
【００４５】
次に、本発明の第４実施形態であるスライド型の携帯電話１３０の構造を図１４および図１５を用いて説明する。尚、図１４は同携帯電話１３０の使用時の斜視図であり、図１５は同携帯電話１３０の待機時の斜視図である。
【００４６】
携帯電話１３０は、図１４に示されるように本体部５０とパネル部５１とで構成されており、パネル部５１は摺動溝５２により本体部５０に摺動自在に取付けられている。本体部５０には、アンテナ１、表示部１１、スピーカ５、操作釦９およびマイク４が配置され、パネル部５１の開口窓５１ａにはマイクロレンズユニット２０が嵌め込まれている。第４実施形態における携帯電話１３０が第３実施形態における携帯電話１２０と異なる点は、パネル部５１がマイクロレンズユニット２０のみを有する点であり、その他は同一に構成されている。
【００４７】
この携帯電話１３０によれば、パネル部５１が閉じられた第２の位置（待機状態）にある時（図１５）、マイクロレンズユニット２０は表示部１１の前面に対向した位置に置かれる。従って、携帯電話１３０は、着信に伴うキャラクタ画像を擬似立体画像として表示し、ユーザーに着信時の楽しみを与えることができる。更に本携帯電話１３０によれば、ユーザーは必要に応じてパネル部５１をスライドさせることにより、表示部１１に表示された通常の二次元表示を見ることもできる。
【００４８】
一方、パネル部５１が引き上げられた第１の位置（使用状態）にある時（図１４）、マイクロレンズユニット２０は表示部１１を覆わない位置に置かれる。従って、携帯電話１２０は表示部１１をユーザーに露呈し、ユーザーに通常の二次元画像を提供する。
【００４９】
次に本発明の第５実施形態であるスライド型の携帯電話１４０の構造を図１６乃至図１９を用いて説明する。尚、図１６は同携帯電話１４０の使用時の斜視図、図１７は図１６における同携帯電話１４０のＢ−Ｂ線断面図、図１８は同携帯電話１４０の待機時の斜視図、図１９は図１８における同携帯電話１４０のＣ−Ｃ線断面図である。
【００５０】
この携帯電話１４０は、図１６に示されるように本体部５５とパネル部５６とにより構成されている。パネル部５６は摺動溝５７により本体部５５に対して摺動自在に取付けられている。本体部５５には、アンテナ１、表示部１１、スピーカ５、操作釦９、マイク４およびマイクロレンズユニット２０が配置され、パネル部５６の開口部５６ａには半透明なアクリルにより形成されたスクリーン５８が嵌め込まれている。
【００５１】
図１７に示されるように、マイクロレンズユニット２０は表示部１１から焦点距離離れた位置に配置されている。パネル部５６が本体の操作釦９を覆わない上側位置にある時、スクリーン５８はマイクロレンズユニット２０から焦点距離離間した位置に配置される。
【００５２】
この携帯電話１４０によれば、スライドパネル５６が下側に引き下げられた第２の位置（待機状態）にある時（図１８、図１９）、携帯電話１２０は、着信に伴うキャラクタ画像をマイクロレンズユニット２０によって結像面２５に擬似立体画像として表示し、ユーザーに着信時の楽しみを与える。
【００５３】
一方、スライドパネル５６が上側に引き上げられた第１の位置（使用状態）にある時（図１６、図１７）、スクリーン５８はマイクロレンズユニット２０によって形成される結像面２５と一致する位置に置かれる。従って、携帯電話１２０は、表示部１１の表示をスクリーン５８上に投影し、ユーザーに見やすい通常の二次元画像を提供する。
【００５４】
次に本発明の第６実施形態であるスライド型の携帯電話１５０の構造を図２０および図２１を用いて説明する。尚、図２０は同携帯電話１５０の待機時における部分拡大断面図であり、図２１は同携帯電話１５０の使用時における部分拡大断面図である。
【００５５】
本携帯電話１５０は、図１６に示した第５実施形態の携帯電話機１４０とほぼ同一の外形を有している。第６実施形態における携帯電話１５０が第５実施形態の携帯電話機１４０と異なる点は、パネル部５６の開口窓５６ａにスクリーン５８が取り付けられていない点、係るパネル部５６連結されたスライド板６２により、マイクロレンズユニット２０を表示部１１に対して垂直に上下移動させるように構成した点にある。
【００５６】
詳細には、マイクロレンズユニット２０の両側面から突出したピン２０ａはスライド板６２の傾斜ガイド溝６２ａおよび図示しないガイド板の垂直ガイド溝に挿入されている。スライド板６２のガイド溝６２ａは図面斜め左下側に延びて形成されており、その左右移動に伴いマイクロレンズユニット２０を表示部１１に対して垂直に上下移動させる。
【００５７】
この携帯電話１５０によれば、パネル部５６が本体の操作部の一部を覆う第１の位置（待機状態）にある時（図２０）、マイクロレンズユニット２０はパネル部５６に連結されたスライド板６２により表示部１１から焦点距離離隔する第１の状態とされ、着信に伴い表示部に表示されたキャラクタ画像を擬似立体画像として表示し、ユーザーに着信時の楽しみを与える。
【００５８】
一方、パネル部５６がユーザーにより携帯電話の上側に引き上げられた第２の位置（使用状態）にある時（図２１）、マイクロレンズユニット２０はスライド板６２の図面右側への移動に連動して表示部１１に密着する第２の状態とされる。従って、マイクロレンズユニット２０は表示部１１の二次元画像をそのまま透過させ、ユーザーに見やすい通常の二次元画像を提供する。
【００５９】
次に本発明の第７実施形態であるスライド型の携帯電話１６０の構造を図２２および図２３を用いて説明する。尚、図２２は同携帯電話１６０の待機時における部分拡大断面図であり、図２３は同携帯電話１６０の使用時における部分拡大断面図である。
【００６０】
第７実施形態における携帯電話１６０が第６実施形態における携帯電話１５０と異なる点は、本体部６０にマイクロレンズユニット２０の前面を覆うスクリーン６３を設けた点にあり、この構成によりマイクロレンズユニット２０を傷や埃から保護することが可能となる。
【００６１】
この携帯電話１６０によれば、パネル部５６が本体の操作部の一部を覆う第１の位置（待機状態）にある時（図２２）、マイクロレンズユニット２０はパネル部５６に連結されたスライド板６２により表示部１１から焦点距離離隔した第１の状態とされ、着信に伴い表示部に表示されたキャラクタ画像をスクリーン６３の上方の結像面２５に擬似立体画像として表示する。
【００６２】
一方、パネル部５６がユーザーにより携帯電話の上側に引き上げられた第２の位置（使用状態）にある時（図２３）、マイクロレンズユニット２０はスライド板６２の図面右側への移動に連動して表示部１１に密着する第２の状態とされる。従って、携帯電話１６０は表示部１１の二次元画像をマイクロレンズユニット２０およびスクリーン６３を透過させて表示し、ユーザーに見やすい通常の二次元画像を提供する。
【００６３】
次に本発明の第８実施形態であるスライド型の携帯電話１７０の構造を図２４および図２５を用いて説明する。尚、図２４は同携帯電話１７０の待機時における部分拡大断面図であり、図２５は同携帯電話１７０の使用時における部分拡大断面図である。
【００６４】
第８実施形態における携帯電話１７０が第７実施形態における携帯電話１６０と異なる点は、スライド板６２によるマイクロレンズユニット２０の移動範囲を異ならせた点にある。つまり、第７実施形態の携帯電話１６０によれば、マイクロレンズユニット２０を表示部１１から焦点距離離隔する位置（図２２）と表示部に密着する位置（図２３）との間で移動させたが、第８実施形態の携帯電話１７０は、マイクロレンズユニット２０を表示部１１から焦点距離離隔する位置（図２４）と、スクリーン６３と表示部１１との中間位置（図２４）との間で移動させる。
【００６５】
この携帯電話１７０によれば、パネル部５６が本体の操作部の一部を覆う第１の位置にある時（図２４）、マイクロレンズユニット２０はパネル部５６に連結されたスライド板６２により表示部１１から焦点距離離隔した第１の状態とされ、着信に伴い表示部に表示されたキャラクタ画像をスクリーン６３の上方の結像面２５に擬似立体画像として表示する。
【００６６】
一方、パネル部５６がユーザーにより携帯電話の上側に引き上げられた第２の位置（使用状態）にある時（図２５）、マイクロレンズユニット２０はスライド板６２の図面右側への移動に連動してスクリーン６３と表示部１１との中間位置まで下降した第２の状態とされる。従って、携帯電話１５０は表示部１１の二次元画像をマイクロレンズユニット２０によりスクリーン６３上に投影し、ユーザーに見やすい通常の二次元画像を提供する。
【００６７】
次に本発明の第９実施形態であるレンズアダプタ８０の構造および使用法を図２６乃至図３０を用いて説明する。尚、図２６はパネル部８２が開放された状態を示すレンズアダプタ８０の斜視図、図２７はパネル部８２が閉じられた状態を示すレンズアダプタ８０の斜視図、図２８は本レンズアダプタが装着可能な携帯電話１８０の斜視図、図２９は本レンズアダプタ８０が装着され、そのパネル部８２が開放された状態を示す携帯電話１８０の斜視図、図３０は本レンズアダプタ８０が装着され、そのパネル部８２が閉じられた状態を示す携帯電話１８０の斜視図である。
【００６８】
先ず、レンズアダプタ８０の構成を説明する。レンズアダプタ８０は、図２６に示されるように装着部８４とパネル部８２とから構成されている。装着部８４は図２９および図３０に示されるように、汎用の携帯電話１８０に装着することができるよう、その両側がＬ字状に折り曲げ形成されており、その上面には携帯電話機１８０の表示部１１およびスピーカ５を露出するための開口部８５が形成されている。一方、パネル部８２はその開口窓８２ａにマイクロレンズユニット２０が嵌め込まれており、ヒンジ部８３により装着部８４に開閉自在に取りつけられている。
【００６９】
図２８は、本レンズアダプタ８０が装着可能となる一般的な携帯電話１８０の外形を示したものである。携帯電話１８０は、その本体部７０にアンテナ１、スピーカ５、表示部１１、通話釦９ａを含む操作釦９およびマイク４等を備える。レンズアダプタ８０は、図２９および図３０に示されるように、この携帯電話１８０の上方から差込まれることにより装着される。
【００７０】
そのパネル部８２が閉じられた第１の位置（待機状態）にある時（図２９）、レンズアダプタ８０は表示部１１の前面に平行に焦点距離隔てられた位置に配置され、表示部１１に表示されたキャラクタ画像を結像面２５に擬似立体画像として表示し、ユーザーに着信時の楽しみを与える。
【００７１】
一方、パネル部８２が開かれた第２の位置（使用状態）にある時（図３０）、レンズアダプタ８０はその開口窓８５により電話機１８０の表示部１１とスピーカ５を露出し、ユーザーに見やすい通常の二次元画像を提供する。
【００７２】
なお、上記レンズアダプタ８０によれば、マイクロレンズユニット２０が開閉可能なパネル部８２に取り付けられているが、装着部８４の開口部８５にマイクロレンズユニット２０を嵌め込み、ユーザーが擬似立体画像を楽しみたい時だけ携帯電話１８０に装着されるものであっても良い。
【００７３】
また、本発明は上述した各実施形態に限定されるものではない、例えば上述した実施例によれば携帯電話に適用した例を説明したが、コードレス電話機、ＰＨＳ電話機、自動車電話等、種々の通信端末装置に適用することも可能である。また、第６および第７実施形態の携帯電話によれば、スライド板６２の移動により、マイクロレンズユニット２０を表示部１１に対して垂直移動させたが、マイクロレンズユニット２０を待機時における位置に固定し、代わりに表示部１１をスライド板６２の移動に伴い垂直移動させるように構成することもできる。
【００７４】
【発明の効果】
本発明によれば、表示器に表示される二次元画像を擬似立体画像として表示することができるので、従来に増してユーザーに驚きや感動を与えることができる。
【図面の簡単な説明】
【図１】本発明にかかる携帯電話のブロック回路図。
【図２】本発明に用いられるマイクロレンズユニット２０の構造と表示原理の説明に供する側面図。
【図３】マイクロレンズユニット２０の平面図。
【図４】マイクロレンズユニット２０を表示部に密着させた時の表示原理の説明に供する側面図。
【図５】第１実施形態による携帯電話１００の使用時の斜視図。
【図６】同携帯電話１００の待機時の斜視図。
【図７】図７は図６における同携帯電話１００のＡ−Ａ線断面図
【図８】電話番号の登録動作フロー図。
【図９】キャラクタ表示動作フロー図。
【図１０】第２実施形態による携帯電話１１０の使用時の斜視図。
【図１１】同携帯電話１１０の待機時の斜視図。
【図１２】第３実施形態による携帯電話１２０の使用時の斜視図。
【図１３】同携帯電話１２０の待機時の斜視図。
【図１４】第４実施形態による携帯電話１３０の使用時の斜視図。
【図１５】同携帯電話１３０の待機時の斜視図。
【図１６】第５実施形態による携帯電話１４０の使用時の斜視図。
【図１７】図１６における同携帯電話１４０のＢ−Ｂ線断面図
【図１８】同携帯電話１４０の待機時の斜視図。
【図１９】図１８における同携帯電話１４０のＣ−Ｃ線断面図。
【図２０】第６実施形態による携帯電話１５０の待機時の部分拡大断面図。
【図２１】同携帯電話１５０の使用時の部分拡大断面図。
【図２２】第７実施形態による携帯電話１６０の待機時の部分拡大断面図。
【図２３】同携帯電話１６０の使用時の部分拡大断面図。
【図２４】第８実施形態による携帯電話１７０の待機時の部分拡大断面図。
【図２５】同携帯電話１６０の使用時の部分拡大断面図。
【図２６】第９実施形態によるレンズアダプタ８０の開放状態を示す斜視図。
【図２７】同レンズアダプタ８０の閉じられた状態を示す斜視図。
【図２８】同レンズアダプタが装着可能な携帯電話１８０の斜視図。
【図２９】同レンズアダプタ８０が装着され、そのパネル部８２が開放された状態を示す携帯電話１８０の斜視図。
【図３０】同レンズアダプタ８０が装着され、そのパネル部８２が閉じられた状態を示す携帯電話１８０の斜視図。
【符号の説明】
１・・・アンテナ
２・・・送受信部
３・・・低周波増幅部
４・・・マイク
５・・・スピーカ
６・・・コントローラ
７・・・ＲＡＭ
８・・・ＲＯＭ
９・・・操作部
１０・・駆動回路
１１・・表示部
２０・・マイクロレンズユニット
２１・・マイクロレンズアレイ
３０、４０、４５、５０、５５、７０・・本体
３１、４１、４２、４６、５１、５６、８２・・パネル部
５８・・スクリーン
６２・・スライド板
８０・・レンズアダプタ
８４・・装着部
１００、１１０、１２０、１３０、１４０、１５０、１６０、１７０・・携帯電話
【図１】
0004049977.tif 000002
【図２】
0004049977.tif 000003
【図３】
0004049977.tif 000004
【図４】
0004049977.tif 000005
【図５】
0004049977.tif 000006
【図６】
0004049977.tif 000007
【図７】
0004049977.tif 000008
【図８】
0004049977.tif 000009
【図９】
0004049977.tif 000010
【図１０】
0004049977.tif 000011
【図１１】
0004049977.tif 000012
【図１２】
0004049977.tif 000013
【図１３】
0004049977.tif 000014
【図１４】
0004049977.tif 000015
【図１５】
0004049977.tif 000016
【図１６】
0004049977.tif 000017
【図１７】
0004049977.tif 000018
【図１８】
0004049977.tif 000019
【図１９】
0004049977.tif 000020
【図２０】
0004049977.tif 000021
【図２１】
0004049977.tif 000022
【図２２】
0004049977.tif 000023
【図２３】
0004049977.tif 000024
【図２４】
0004049977.tif 000025
【図２５】
0004049977.tif 000026
【図２６】
0004049977.tif 000027
【図２７】
0004049977.tif 000028
【図２８】
0004049977.tif 000029
【図２９】
0004049977.tif 000030
【図３０】
0004049977.tif 000031